(57)【特許請求の範囲】
【請求項１】
端子挿入孔（３）が形成されたハウジング（２）と、電線（５４）を圧着保持して端子挿入孔（３）に挿入保持される端子（５）とを具備し、端子（５）の半田付け足（１３）を回路基板（６４）への半田付け部とする基板用コネクタであって、ハウジング（２）の側壁にハウジングランス（８）を形成し、このハウジングランス（８）の端子挿入口側に外側への弾性変形可能な係止部（９）を形成し、端子（５）に、端子挿入孔（３）への挿入時に係止部（９）を外側へ弾性変形させ、挿入完了時に係止部（９）に係止して抜け止めとなる係止突起（７）を形成してなることを特徴とする基板用コネクタ。
【請求項２】
端子（５）は、電線（５４）の軸線方向に沿って順次形成された被覆圧着バレル（１０）、連結片（１２）及び芯線圧着バレル（１１）を具備し、半田付け足（１３）を電線（５４）の軸線方向と略垂直な方向に連結片（１２）から突出して形成し、係止突起（７）を半田付け足（１３）の反対側へ連結片（１２）から突出して形成してなる請求項１記載の基板用コネクタ。
【請求項３】
ハウジング（２）に、端子（５）の端子挿入孔（３）への挿入時には係止突起（７）を案内し、挿入完了時には係止突起（７）の横振れを規制する係止突起挿入溝（１８）を形成し、この係止突起挿入溝（１８）内に係止部（９）を形成してなる請求項１又は２記載の基板用コネクタ。
【発明の詳細な説明】
【０００１】
【発明の属する技術分野】
本発明は、電線を回路基板に接続するための基板用コネクタに関するものである。さらに詳しくは、端子挿入孔が形成されたハウジングと、電線を圧着保持して端子挿入孔に挿入保持される端子とを具備し、端子の半田付け足を回路基板への半田付け部とする基板用コネクタに関するものである。
【０００２】
【従来の技術】
従来の基板用コネクタ５１は、例えば図１７から図２１までに示すように構成されていた。
すなわち、ハウジング５２に２個の端子挿入孔５３、５３を形成し、各端子挿入孔５３に、電線５４の端末に圧着保持された端子５５を挿入し、端子５５の先端部５６の一側に突設された係止突起５７をハウジングランス（可撓係止腕）５８の係止部５９に係止して抜け止めとする。この端子５５の端子挿入孔５３への挿入において、挿入時には係止突起５７によって係止部５９が２点鎖線で示すように外側へ弾性変形し、挿入完了時には係止部５９が実線で示す元の位置に戻って抜け止めとなる。
【０００３】
端子５５の被覆圧着バレル６０と芯線圧着バレル６１を連結する連結片６６から半田付け足６３を突設し、この半田付け足６３をハウジング５２から突出して回路基板６４の貫通孔６５を貫通させ、半田（図示省略）によって回路基板６４の導体部分に接続固定する。
６６は、端子５５の連結片６２から半田付け足６３と反対側へ突設されて、先端を折り曲げて端子挿入孔５３の内壁面に当接させる横振れ規制片である。
６７は、端子５５の先端部５６から係止突起５７と反対側へ突設されて、先端を折り曲げて端子挿入孔５３の内壁面に当接させる横振れ規制片である。６８は係止突起５７を挿入して案内する係止突起挿入溝である。
【０００４】
【発明が解決しようとする課題】
しかしながら、図１７〜図２１に示した従来の基板用コネクタ５１では、ハウジングランス５８の係止部５９が端子挿入口と反対側（図１７では上側）に形成されていたので、抜け止め用の係止突起５７を形成するために、端子５５に先端部５６を設ける必要があり、小型化が難しいという問題点があった。
【０００５】
また、端子５５の連結片６２を短くして小型化を図ろうとした場合、図１７に示すように回路基板６４の端面と基板用コネクタ５１の端面との間に長さＳ（例えばＳ＝０．６ｍｍ）のスペースを設ける必要があるため、回路基板６４上の省スペース化が難しいという問題点があった。
すなわち、回路基板６４の厚さをＤ、回路基板６４の端面から貫通孔６５の中心線までの長さをＬとすると、強度上の観点からＬをＤ（例えばＤ＝０．８ｍｍ）の２倍以上（例えば１．６ｍｍ）にする必要があるからである。
【０００６】
また、端子５５が横方向（図１８〜図２０では左右方向）に振れるのを防止するために、端子５５に横振れ規制片６６、６７を形成しなければならないので、端子５５の構造が複雑になるという問題点があった。
【０００７】
本発明は上述の問題点に鑑みてなされたもので、小型化、基板上の省スペー
ス化を図ることができ、横振れ防止のための端子構造の簡単化を図ることができる基板用コネクタを提供することを目的とするものである。
【０００８】
【課題を解決するための手段】
請求項１記載の発明は、端子挿入孔（３）が形成されたハウジング（２）と、電線（５４）を圧着保持して端子挿入孔（３）に挿入保持される端子（５）とを具備し、端子（５）の半田付け足（１３）を回路基板（６４）への半田付け部とする基板用コネクタであって、ハウジング（２）の側壁に、外側へ弾性変形可能な係止部（９）が端子挿入口側に位置するハウジングランス（８）を形成し、端子（５）に、端子挿入孔（３）への挿入時に係止部（９）を外側へ弾性変形させ、挿入完了時に係止部（９）に係止して抜け止めとなる係止突起（７）を形成してなることを特徴とする。
【０００９】
このような構成において、ハウジング（２）の側壁に形成されたハウジングランス（８）の係止部（９）が端子挿入口側に位置し、端子（５）に形成された係止突起（７）が、端子挿入孔（３）への挿入時に係止部（９）を外側へ弾性変形し、挿入完了時に係止部（９）に係止して抜け止めとなるので、この係止突起（７）を端子（５）の中間部（例えば連結片）に形成することができる。このため、図１７〜図２１に示した従来例のような端子５５の先端部５６が不要となり、基板用コネクタの小型化を図ることができる。
【００１０】
請求項２の発明は、請求項１記載の発明において、回路基板（６４）上の省スペスース化を図るために、端子（５）は、電線（５４）の軸線方向に沿って順次形成された被覆圧着バレル（１０）、連結片（１２）及び芯線圧着バレル（１１）を具備し、半田付け足（１３）を電線（５４）の軸線方向と略垂直な方向に連結片（１２）から突出して形成し、係止突起（７）を半田付け足（１３）の反対側へ連結片（１２）から突出して形成する。
【００１１】
請求項３記載の発明は、請求項１又は２の発明において、横振れ防止のための端子構造の簡単化を図るために、ハウジング（２）に、端子（５）の端子挿入孔（３）への挿入時には係止突起（７）を案内し、挿入完了時には係止突起（７）の横振れを規制する係止突起挿入溝（１８）を形成し、この係止突起挿入溝（１８）内に係止部（９）を形成する。
【００１２】
【発明の実施の形態】
以下、本発明による基板用コネクタの一実施形態例を、図１から図１６までを用いて説明する。
図１から図５において、１は基板用コネクタで、この基板用コネクタ１は、図１７〜図２１に示した基板用コネクタ５１と同様に、電線５４を回路基板６４に接続するためのコネクタである。
基板用コネクタ１は、ハウジング２と、このハウジング２の端子挿入孔３、３に挿入保持された端子５、５とで構成されている。
【００１３】
ハウジング２は絶縁性を有する樹脂材料によって形成されている。このハウジング２には、図６〜図１１に示すように前後方向（図６では上下方向、図７では紙面に垂直な前後方向）に貫通する端子挿入孔３、３が所定間隔（例えば１．５ｍｍ間隔）で形成されている。
【００１４】
ハウジング２の天壁（図７では上側の側壁）には、上側から見た形状がＵ字形の孔４，４が形成され、このＵ字形孔４，４によって舌片状のハウジングランス（可撓係止腕）８，８が形成されている。
【００１５】
ハウジングランス８の先端部は、端子挿入口側（図６では下側）に位置し、外側（図７では上側）へ弾性変形可能に形成されている。
ハウジングランス８の底面には、後述する係止突起７を挿入して案内するための係止突起挿入溝１８が形成され、この係止突起挿入溝１８内の端子挿入口側には、図１０，図１１に示すような係止部９が形成されている。
【００１６】
ハウジング２の天壁のうち、Ｕ字形孔４，４で区切られた前側部には、係止突起挿入溝１９，１９が形成されている。この係止突起挿入溝１９は、前面側が端子挿入口側に開口し、背面側がＵ字形孔４による隙間を介して係止突起挿入溝１８に連通している。
【００１７】
ハウジング２の底壁（図１７では下側の側壁）には、端子挿入口側に開口し上下に貫通したスリット２０，２０が形成されている。このスリット２０は、後述する半田付け足１３を挿入、案内、係合するためのものである。
【００１８】
電線５４に固着される前の端子５は、弾性を有する金属製の板材を図１２に示すような形状に打ち抜き、切断線ＳＨで切断することによって形成される。
そして、折り曲げ加工で被覆圧着バレル１０と芯線圧着バレル１１を電線５４の被覆と芯線に圧着固定することによって、電線５４の端末に端子５が固着される。すなわち、被覆圧着バレル１０、芯線圧着バレル１１は、電線５４が圧着される前には図１５，図１４に示すように断面が略Ｖ字形状に形成され、電線５４が圧着された後には図１〜図４に示すように被覆、芯線を包み込むように圧着する。
【００１９】
端子５の被覆圧着バレル１０，芯線圧着バレル１１は、圧着する電線５４の軸線方向（図１２では上下方向）に沿って形成され、被覆圧着バレル１０と芯線圧着バレル１１の間には連結片１２が形成されている。
連結片１２には、電線５４の軸線方向と略垂直な方向（図１２では左方向）に半田付け足１３が突設されるとともに、半田付け足１３の反対側（図１２では右側）に係止突起７が突設されている。
図１２において、３０はキャリア、３１は送り孔である。
【００２０】
上述のように電線５４の端末に固着された端子５を、図１に矢印で示すようにハウジング２の対応する端子挿入孔３に挿入する。この端子５の端子挿入孔３への挿入において、スリット２０に挿入、案内された半田付け足１３がスリット２０の閉塞端に係合することによって、背面側（図１では上側）への動きが規制され、係止突起挿入溝１９、１８に挿入、案内された係止突起７がハウジングランス８の係止部９に係止することによって、前面側（図１では下側）への抜け止めとなる。
【００２１】
上述の端子５の端子挿入孔３への挿入において、挿入時には係止突起７によってハウジングランス８の係止部９が２点鎖線で示すように外側へ弾性変形し、挿入完了時にはハウジングランス８の係止部９が実線で示す位置に戻っ係止突起７に係止する。このとき、ハウジングランス８の係止部９が前面側（端子挿入口側）に形成されているので、ハウジングランス８のバネ長を確保することができる。
また半田付け足１３がスリット２０に係合されとともに係止突起７が係止突起挿入溝１８に挿入されて横方向（図２〜図４では左右方向）への動きが規制されているので、端子５の横振れを防止することができる。
【００２２】
上述のように形成された基板用コネクタ１は、その半田付け足１３を図１に示すように回路基板６４の貫通孔６５を貫通させ、半田（図示省略）によって回路基板６４の導体部分に接続固定される。
【００２３】
本発明による基板用コネクタ１では、ハウジングランス８の係止部９が端子挿入口側に位置し、係止部９に係止する係止突起７を連結片１２に形成しているので、連結片１２の長さを適宜に形成することによって、基板用コネクタ１の端面と回路基板６４の端面を一致させて、回路基板６４上の省スペース化を図ることができる。
すなわち、図１に示すように、ＬがＤの２倍以上（例えば１．６ｍｍ）となる条件を満足するように、連結片１２の長さを設定して基板用コネクタ１の端面と回路基板６４の端面を一致させた場合、連結片１２の長さは図１７に示した従来例の連結片６２より長くなるが、従来例のような先端部５６が不要となるので、基板用コネクタ１の全長は従来例の基板用コネクタ５１と同じかそれ以下にすることができる。
【００２４】
また、連結片１２の長さを図１７の従来例の連結片６２と同じにした場合、基板用コネクタ１の端面と回路基板６４の端面との間に図１７に示したような長さＳのスペースを設ける必要はあるが、基板用コネクタ１自体の全長をさらに短くすることができる。
【００２５】
前記実施形態例では、ハウジング２に２つの端子挿入孔３を形成し、各端子挿入孔３に端子５を挿入、係止した２極の場合について説明したが、本発明はこれに限るものでなく、ハウジング２に１つの端子挿入孔３を形成して端子５を挿入、係止した単極の場合や、ハウジング２に３つ以上の端子挿入孔３を形成し、各端子挿入孔３に端子５を挿入、係止した３極以上の場合についても利用することができる。
【００２６】
前記実施形態例では、端子５の構造を複雑にすることなく横振れを防止するために、ハウジング２に、端子５の端子挿入孔３への挿入時には係止突起７を案内し、挿入完了時には係止突起７の横振れを規制する係止突起挿入溝１８を形成し、この係止突起挿入溝１８内に係止部９を形成した場合について説明したが、本発明はこれに限るものでなく、係止突起挿入溝１８を省略し、端子５の連結片１２に横振れ規制片を設けた場合についても利用することができる。
【００２７】
前記実施形態例では、回路基板６４上の省スペース化を図るために、半田付け足１３の突出方向が電線５４の軸線方向と垂直なライトアングルタイプの基板用コネクタ１について説明したが、本発明はこれに限るものでなく、半田付け足の突出方向が電線５４の軸線方向と平行なストレートタイプの基板用コネクタについても利用することができる。
【００２８】
【発明の効果】
請求項１記載の発明は、基板用コネクタにおいて、ハウジング（２）の側壁に形成するハウジングランス（８）の係止部（９）の位置を端子挿入口側とし、端子挿入孔３の係止突起（７）が、端子挿入孔（３）への挿入時に係止部（９）を外側へ弾性変形させ、挿入完了時に係止部（９）に係止して抜け止めとなる構成としたので、係止突起（７）を端子（５）の中間部（例えば連結片）に形成することができ、基板用コネクタの小型化を図ることができる。
【００２９】
請求項２記載の発明は、請求項１記載の発明において、端子（５）が電線（５４）の軸線方向に沿って順次形成された被覆圧着バレル（１０）、連結片（１２）及び芯線圧着バレル（１１）を具備し、半田付け足（１３）が電線（５４）の軸線方向と略垂直な方向に連結片（１２）から突出し、係止突起（７）が半田付け足（１３）の反対側の連結片（１２）から突出する構成（すなわちライトアングルタイプ）としたので、基板用コネクタの端面を回路基板（６４）の端面と一致させて回路基板（６４）上の省スペース化を図ることができる。
【００３０】
請求項３記載の発明は、請求項１又は２記載の発明において、ハウジング（２）に、端子（５）の端子挿入孔（３）への挿入時には係止突起（７）を案内し、挿入完了時には係止突起（７）の横振れを規制する係止突起挿入溝（１８）を形成し、この係止突起挿入溝（１８）内に係止部（９）を形成する構成としたので、端子（５）の構造を複雑にすることなく端子（５）の横振れを防止することができる。
【図面の簡単な説明】
【図１】本発明による基板用コネクタの一実施形態例を示す図で、図中の基板用コネクタ１は図２のＡーＡ線断面図を示す。
【図２】図１中の基板用コネクタ１を示す図で、一部を切り欠いて表示した平面図である。
【図３】図２の正面図である。
【図４】図３の背面図である。
【図５】図２の右側面図である。
【図６】図１中のハウジング２を示す平面図である。
【図７】図６の正面図である。
【図８】図７の背面図である。
【図９】図６の左側面図である。
【図１０】  図６のＡ−Ａ線断面図である。
【図１１】ハウジングランス８の係止部９を示す部分斜視図である。
【図１２】電線５４に固着される前の、キャリア３０に連結された端子５を示す平面図である。
【図１３】図１２において、切断線ＳＨで切断された後のハウジング（２）の右側面図である。
【図１４】図１２のＡ−Ａ線断面図である。
【図１５】図１２のＢ−Ｂ線端面図である。
【図１６】図１２のＣ−Ｃ線端面図である。
【図１７】従来例を示す図で、図中の基板用コネクタ５１は図１８のＡ−Ａ線断面図を示す。
【図１８】図１７中の基板用コネクタ５１を示す図で、一部を切り欠いて表示した平面図である。
【図１９】図１８の正面図である。
【図２０】図１９の背面図である。
【図２１】図１８の右側面図である。
【符号の説明】
１…基板用コネクタ、  ２…ハウジング、  ３…端子挿入孔、  ４…Ｕ字形孔、  ５…端子、  ７…係止突起、  ８…ハウジングランス、  ９…係止部、  １０…被覆圧着バレル、  １１…芯線圧着バレル、  １２…連結片、  １３…半田付け足、  １８、１９…係止突起挿入溝、  ２０…スリット、  ５４…電線、  ６４…回路基板。
【図１】
0003874367.tif 000002
【図２】
0003874367.tif 000003
【図３】
0003874367.tif 000004
【図４】
0003874367.tif 000005
【図５】
0003874367.tif 000006
【図６】
0003874367.tif 000007
【図７】
0003874367.tif 000008
【図８】
0003874367.tif 000009
【図９】
0003874367.tif 000010
【図１０】
0003874367.tif 000011
【図１１】
0003874367.tif 000012
【図１２】
0003874367.tif 000013
【図１３】
0003874367.tif 000014
【図１４】
0003874367.tif 000015
【図１５】
0003874367.tif 000016
【図１６】
0003874367.tif 000017
【図１７】
0003874367.tif 000018
【図１８】
0003874367.tif 000019
【図１９】
0003874367.tif 000020
【図２０】
0003874367.tif 000021
【図２１】
0003874367.tif 000022